(57)【要約】【課題】簡易な構造で異なる機能を有する複数種類のフィルムを巻き取り又は巻き戻すことができ、マイカー線により締め付けなくてもある程度のテンションでフィルムを張ることができるようにする。【解決手段】第１のフィルム２１０と第２のフィルム２２０の隣接部付近が一緒に巻き付けられ、各フィルム２１０，２２０の巻き取り又は巻き戻し動作に伴って移動可能に設けられる可動巻き取り軸２０を備える一方、第２のフィルム２２０の基端部が、軸受け部材３０ａによって軸支され、各フィルム２１０，２２０の巻き取り又は巻き戻し動作に伴って移動しない固定巻き取り軸３０により支持された構成である。第１のフィルム２１０及び第２のフィルム２２０のそれぞれの巻き取り量に拘わらず、任意の状態で固定巻き取り軸３０により第２のフィルム２２０を所定量巻き込むことにより、各フィルムの張力を増すことができる。【選択図】  図１
2004161394.tif 000002
【特許請求の範囲】
【請求項１】
温室の適宜箇所に離間して設けられる一方の取り付け部と他方の取り付け部との間において、前記一方の取り付け部に基端部が固定されて配設される第１のフィルムと、前記他方の取り付け部に基端部が支持され、第１のフィルムに隣接して設けられる第２のフィルムとを、前記取り付け部間で巻き取り又は巻き戻しするための温室用フィルム巻き取り装置であって、
前記第１及び第２のフィルムの隣接方向に対して略直交する方向に長手方向を沿わせ、かつ各フィルムの隣接部付近が一緒に巻き付けられ、各フィルムの巻き取り又は巻き戻し動作に伴って移動可能に設けられる可動巻き取り軸と、
軸受け部材により、前記第２のフィルムを基端部から巻き取り又は巻き戻し可能に軸支され、前記他方の取り付け部を構成する固定巻き取り軸と
を具備し、
前記可動巻き取り軸により第１のフィルムを巻き取ると、前記固定巻き取り軸が第２のフィルムの巻き戻し方向に回転し、
前記固定巻き取り軸により第２のフィルムを巻き取ると、前記可動巻き取り軸が第１のフィルムの巻き戻し方向に回転する構成であることを特徴とする温室用フィルム巻き取り装置。
【請求項２】
前記可動巻き取り軸は、前記固定巻き取り軸の回転により第１のフィルムの巻き戻し方向に回転する際に、所定の制動力を発揮する制動機構に連結されていることを特徴とする請求項１記載の温室用フィルム巻き取り装置。
【請求項３】
前記固定巻き取り軸は、前記可動巻き取り軸の回転により第２のフィルムの巻き戻し方向に回転する際に、所定の制動力を発揮する制動機構に連結されていることを特徴とする請求項１又は２記載の温室用フィルム巻き取り装置。
【請求項４】
前記可動巻き取り軸には、任意の回転停止手段が付設されており、該回転停止手段によって可動巻き取り軸の回転を停止させた状態で、前記固定巻き取り軸を第２のフィルムの巻き取り方向に回転させることにより、第１のフィルム及び第２のフィルムの展開時の張力を高めることができることを特徴とする請求項１〜３のいずれか１に記載の温室用フィルム巻き取り装置。
【請求項５】
前記固定巻き取り軸を支持する軸受け部材が、温室を構成する骨組み材に連結された吊り部材により支持されていることを特徴とする請求項１記載の温室用フィルム巻き取り装置。
【請求項６】
前記軸受け部材により支持された固定巻き取り軸の回転位置を安定させるため、該軸受け部材に一端が連結され、他端が任意の不動部に連結された回転位置規制部材を備えていることを特徴とする請求項５記載の温室用フィルム巻き取り装置。
【請求項７】
前記第１のフィルムと第２のフィルムとが、異なる機能を備えたフィルムから構成されていることを特徴とする請求項１〜６のいずれか１に記載の温室用フィルム巻き取り装置。
【請求項８】
前記第１のフィルムが、実質的に換気部を有さないフィルムからなり、前記第２のフィルムが、換気部を備えたフィルムからなることを特徴とする請求項７記載の温室用フィルム巻き取り装置。
【請求項９】
適宜箇所に離間して設けられる一方の取り付け部と他方の取り付け部との間において、前記一方の取り付け部に基端部が固定されて配設される第１のフィルムと、前記他方の取り付け部に基端部が支持され、第１のフィルムに隣接して設けられる第２のフィルムとを有すると共に、
前記第１及び第２のフィルムの隣接方向に対して略直交する方向に長手方向を沿わせ、かつ各フィルムの隣接部付近が一緒に巻き付けられ、各フィルムの巻き取り又は巻き戻し動作に伴って移動可能に設けられる可動巻き取り軸と、軸受け部材により、前記第２のフィルムを基端部から巻き取り又は巻き戻し可能に軸支され、前記他方の取り付け部を構成する固定巻き取り軸とを具備し、前記可動巻き取り軸により第１のフィルムを巻き取ると、前記固定巻き取り軸が第２のフィルムの巻き戻し方向に回転し、前記固定巻き取り軸により第２のフィルムを巻き取ると、前記可動巻き取り軸が第１のフィルムの巻き戻し方向に回転する温室用フィルム巻き取り装置を有することを特徴とする温室。
【請求項１０】
前記第１のフィルムと第２のフィルムとが、異なる機能を備えたフィルムから構成されていることを特徴とする請求項９記載の温室。
【請求項１１】
前記第１のフィルムが、実質的に換気部を有さないフィルムからなり、前記第２のフィルムが、換気部を備えたフィルムからなることを特徴とする請求項１０記載の温室。
【発明の詳細な説明】
【０００１】
【発明の属する技術分野】
本発明は、温室用フィルム巻き取り装置及び該温室用フィルム巻き取り装置を有する温室に関する。
【０００２】
【従来の技術】
温室は、一般に、ビニルフィルム、ポリオレフィン系フィルム、フッ素系フィルムなどのプラスチックフィルムが用いて形成されるが、温室内の換気を行うために、側面や天井面などに、換気用の開口部を形成している。例えば、側面に換気用の開口部を形成した場合には、該開口部を覆うようにフィルムを設け、このフィルムの端部に巻き取り軸を連結し、該巻き取り軸によってフィルムを巻き取ることにより開口し、巻き戻すことにより閉塞するように設けている。
【０００３】
【発明が解決しようとする課題】
しかしながら、開口部を覆うフィルムを、巻き取り軸により巻き取り又は巻き戻し可能に設けた際には、風にあおられることによるフィルムのばたつき防止のため、該フィルムを上面から押さえ付けるマイカー線などを配設することが必須となる。また、マイカー線のみによってフィルムのばたつきを防止しようとすると、マイカー線を強く締め付けてフィルムを押さえ付ける必要があり、フィルムのばたつきを防止するのに十分な強さでマイカー線を締め付けた際には、その後に巻き取り軸を回転動作させることはほぼ不可能となる。従って、フィルムを再び巻き取り軸に巻き取ったり巻き戻したりする場合には、その度にマイカー線を緩める作業が必要となる。
【０００４】
一方、作物によっては、害虫や鳥による被害を防止する必要があるが、かかる場合、従来、上記した開口部を覆うフィルムとは別途に、換気用の開口部の内側に、防虫・防鳥用ネットを設け、フィルムを巻き上げた状態で防虫・防鳥用ネットが露出する構造とする必要があった。このため、設備コストの増加要因になると共に、設置作業も面倒であるという問題があった。この場合、開口部を覆うフィルムと防虫・防鳥用のネット状のフィルムを巻き取り又は巻き戻し方向に隣接させ、いずれか一方が巻き取られると他方が巻き戻される構成とすれば、温室全体の構造が簡素化され、設置作業も容易化できることが期待される。しかしながら、このように種類の異なる二枚のフィルムを用いて、いずれか一方を巻き取った際に他方を巻き戻すような巻き取り装置は、構造が複雑になりがちであり、簡易な構造で提供することは困難である。
【０００５】
本発明は上記した点に鑑みなされたものであり、簡易な構造で異なる機能を有する複数種類のフィルムを巻き取り又は巻き戻すことができ、マイカー線により締め付けなくてもある程度のテンションでフィルムを張ることができ、マイカー線を用いた場合でも、フィルムのばたつき防止に必要なマイカー線の締め付け力を従来よりも小さくでき、マイカー線により締め付けた状態での巻き取り軸によるフィルムの巻き取り又は巻き戻し動作も可能とすることができる温室用フィルム巻き取り装置及び該温室用フィルム巻き取り装置を有する温室を提供することを課題とする。
【０００６】
【課題を解決するための手段】
上記した課題を解決するため、請求項１記載の本発明では、温室の適宜箇所に離間して設けられる一方の取り付け部と他方の取り付け部との間において、前記一方の取り付け部に基端部が固定されて配設される第１のフィルムと、前記他方の取り付け部に基端部が支持され、第１のフィルムに隣接して設けられる第２のフィルムとを、前記取り付け部間で巻き取り又は巻き戻しするための温室用フィルム巻き取り装置であって、
前記第１及び第２のフィルムの隣接方向に対して略直交する方向に長手方向を沿わせ、かつ各フィルムの隣接部付近が一緒に巻き付けられ、各フィルムの巻き取り又は巻き戻し動作に伴って移動可能に設けられる可動巻き取り軸と、
軸受け部材により、前記第２のフィルムを基端部から巻き取り又は巻き戻し可能に軸支され、前記他方の取り付け部を構成する固定巻き取り軸と
を具備し、
前記可動巻き取り軸により第１のフィルムを巻き取ると、前記固定巻き取り軸が第２のフィルムの巻き戻し方向に回転し、
前記固定巻き取り軸により第２のフィルムを巻き取ると、前記可動巻き取り軸が第１のフィルムの巻き戻し方向に回転する構成であることを特徴とする温室用フィルム巻き取り装置を提供する。
請求項２記載の本発明では、前記可動巻き取り軸は、前記固定巻き取り軸の回転により第１のフィルムの巻き戻し方向に回転する際に、所定の制動力を発揮する制動機構に連結されていることを特徴とする請求項１記載の温室用フィルム巻き取り装置を提供する。
請求項３記載の本発明では、前記固定巻き取り軸は、前記可動巻き取り軸の回転により第２のフィルムの巻き戻し方向に回転する際に、所定の制動力を発揮する制動機構に連結されていることを特徴とする請求項１又は２記載の温室用フィルム巻き取り装置を提供する。
請求項４記載の本発明では、前記可動巻き取り軸には、任意の回転停止手段が付設されており、該回転停止手段によって可動巻き取り軸の回転を停止させた状態で、前記固定巻き取り軸を第２のフィルムの巻き取り方向に回転させることにより、第１のフィルム及び第２のフィルムの展開時の張力を高めることができることを特徴とする請求項１〜３のいずれか１に記載の温室用フィルム巻き取り装置を提供する。
請求項５記載の本発明では、前記固定巻き取り軸を支持する軸受け部材が、温室を構成する骨組み材に連結された吊り部材により支持されていることを特徴とする請求項１記載の温室用フィルム巻き取り装置を提供する。
請求項６記載の本発明では、前記軸受け部材により支持された固定巻き取り軸の回転位置を安定させるため、該軸受け部材に一端が連結され、他端が任意の不動部に連結された回転位置規制部材を備えていることを特徴とする請求項５記載の温室用フィルム巻き取り装置を提供する。
請求項７記載の本発明では、前記第１のフィルムと第２のフィルムとが、異なる機能を備えたフィルムから構成されていることを特徴とする請求項１〜６のいずれか１に記載の温室用フィルム巻き取り装置を提供する。
請求項８記載の本発明では、前記第１のフィルムが、実質的に換気部を有さないフィルムからなり、前記第２のフィルムが、換気部を備えたフィルムからなることを特徴とする請求項７記載の温室用フィルム巻き取り装置を提供する。
請求項９記載の本発明では、適宜箇所に離間して設けられる一方の取り付け部と他方の取り付け部との間において、前記一方の取り付け部に基端部が固定されて配設される第１のフィルムと、前記他方の取り付け部に基端部が支持され、第１のフィルムに隣接して設けられる第２のフィルムとを有すると共に、
前記第１及び第２のフィルムの隣接方向に対して略直交する方向に長手方向を沿わせ、かつ各フィルムの隣接部付近が一緒に巻き付けられ、各フィルムの巻き取り又は巻き戻し動作に伴って移動可能に設けられる可動巻き取り軸と、軸受け部材により、前記第２のフィルムを基端部から巻き取り又は巻き戻し可能に軸支され、前記他方の取り付け部を構成する固定巻き取り軸とを具備し、前記可動巻き取り軸により第１のフィルムを巻き取ると、前記固定巻き取り軸が第２のフィルムの巻き戻し方向に回転し、前記固定巻き取り軸により第２のフィルムを巻き取ると、前記可動巻き取り軸が第１のフィルムの巻き戻し方向に回転する温室用フィルム巻き取り装置を有することを特徴とする温室を提供する。
請求項１０記載の本発明では、前記第１のフィルムと第２のフィルムとが、異なる機能を備えたフィルムから構成されていることを特徴とする請求項９記載の温室を提供する。
請求項１１記載の本発明では、前記第１のフィルムが、実質的に換気部を有さないフィルムからなり、前記第２のフィルムが、換気部を備えたフィルムからなることを特徴とする請求項１０記載の温室を提供する。
【０００７】
（作用）
本発明の温室用フィルム巻き取り装置及び温室によれば、可動巻き取り軸を一方向に回転させることにより、第１のフィルムを巻き取りつつ、固定巻き取り軸から第２のフィルムを巻き戻していく。固定巻き取り軸を他方向に回転させることにより、第２のフィルムを巻き取りつつ、第１のフィルムを巻き戻していく。すなわち、二種類のフィルムの隣接部付近を可動巻き取り軸によって支持すると共に、一方のフィルムの基端部を固定巻き取り軸によって支持するという簡易な構成により、二種類のフィルムのいずれかを必要なだけ展開することができる。
【０００８】
しかも、可動巻き取り軸がいずれの位置にあっても、すなわち、第１のフィルムの展開量と第２のフィルムの展開量がどのような状態であっても、固定巻き取り軸によって第２のフィルムを所定量巻き取ることにより、二種類のフィルムに所定のテンションを付与できる。この結果、マイカー線を用いなくてもフィルムのばたつきが防止でき、さらにマイカー線を用いた場合には、マイカー線のみによってばたつきを防止させるのに必要な締め付け力よりも、小さな締め付け力を付与するのみで、フィルムのばたつきをより確実に防止できる。また、第１のフィルムと第２のフィルムとを、互いに異なる機能を備えたフィルム、例えば、一方を実質的に換気部を有さないフィルムとし、他方を換気部を備えたフィルムとすれば、換気部を有さないフィルムによって開口部を覆っている際には外被として機能し、換気部を備えたフィルムによって開口部を覆っている際には、換気部の大きさ、フィルムの材質等によっても異なるが、換気状態を確保しつつ、防虫・防鳥機能、遮光機能、保温機能等を発揮する。
【０００９】
【発明の実施の形態】
以下、図面に示した実施形態に基づき本発明をさらに詳細に説明する。図１は本発明の一の実施形態にかかる温室用フィルム巻き取り装置１０及び該温室用フィルム巻き取り装置１０を有する温室１００を示す概略斜視図である。本実施形態の温室用フィルム巻き取り装置１０により巻き取り又は巻き戻しされる温室用フィルム２００は、第１のフィルム２１０及び第２のフィルム２２０の二種類のフィルムから構成され、温室１００の側面に形成された換気用の開口部１１０を開閉可能に設けられる。本実施形態で用いた第１のフィルム２１０は、実質的に換気部を有さず、通常、温室１００の外被として用いられるフィルムからなり、換気用の開口部１１０を覆うことにより、外被の一部となって該開口部１１０を閉塞する。第２のフィルム２２０は、本実施形態では、温室１００の側面の長手方向に沿って所定間隔ごとに配設される複数の帯状フィルム２２１からなり、第２のフィルム２２０によって開口部１１０を覆うと、各帯状フィルム２２１間の間隙が換気部２２２として機能するものである。
【００１０】
第２のフィルム２２０を構成する各帯状フィルム２２１は、第１のフィルム２１０に対し、各隣接部付近を予め溶着や接着などにより一体化しておくことも可能である。このような構成としておくことにより、後述の可動巻き取り軸２０に各隣接部付近を、該可動巻き取り軸２０に嵌合する略半管状の嵌合部材（図示せず）などによって固定する作業が容易となる。もちろん、第１のフィルム２１０と第２のフィルム２２０とを予め一体化することなく、各隣接部付近を可動巻き取り軸２０に巻き付けて、嵌合部材を該隣接部付近に嵌め合わせることで、両者を可動巻き取り軸２０に一緒に固定することもできる。なお、各隣接部付近を可動巻き取り軸２０に巻き付けるに当たって、各フィルム２１０及び２２０の巻き付け量は必ずしも均等である必要はない。
【００１１】
第２のフィルム２２０は、本実施形態では、上記のように所定間隔ごとに配置される複数の帯状フィルム２２１から構成して、帯状フィルム２２１間の間隙を換気部２２２としているが、帯状ではなく、開口部１１０をより広く覆うことができる大きさ、例えば第１のフィルム２１０と同様の大きさを備えると共に、方形、円形、楕円形、長孔、スリット状などの換気部としての網目を備えたネット状部材から構成することもできる。もちろん、帯状フィルム２２１自体が、網目を備えたネット素材からなるものであってもよい。いずれにしても、第２のフィルム２２０を構成するフィルムの素材や、換気部の大きさ等により、防虫機能、防鳥機能、遮光機能、保温機能等を適宜に兼用させることができる。
【００１２】
上記した温室用フィルム２００は、温室１００の適宜箇所に設けられる一方の取り付け部と他方の取り付け部との間に、第１のフィルム２１０と第２のフィルム２２０とを隣接させて配設される。本実施形態においては、温室１００の頂部に長手方向に沿って配設したフィルム固定部材１２０を上記一方の取り付け部とし、該フィルム固定部材１２０に第１のフィルム２１０の基端部を固定している。また、温室１００の側面下部付近の長手方向に沿って、所定間隔ごとに軸受け部材３０ａを配設し、この軸受け部材３０ａによって回転可能に支持された固定巻き取り軸３０を上記他方の取り付け部とし、第２のフィルム２２０の基端部を巻き付けている。ここで、固定巻き取り軸３０は、可動巻き取り軸２０と共に、本実施形態のフィルム巻き取り装置１０を構成する。なお、温室１００の側面下部付近には、地面から所定高さの位置にフィルム固定部材１３０が配設されており、地面とフィルム固定部材１３０との間には、密閉用の固定張り１４０が設けられている。従って、固定巻き取り軸３０は、該フィルム固定部材１３０のやや下方に設け、隙間が生じないようにすることが好ましい。また、本実施形態では、図１に示したように、温室１００の頂部に配設したフィルム固定部材１２０を中心として、温室１００の両側のそれぞれに、第１のフィルム２１０及び第２のフィルム２２０を上記のように配設すると共に、これらを巻き取り巻き戻しする温室用フィルム巻き取り装置１０を設けている。
【００１３】
温室用フィルム２００の巻き取り又は巻き戻しを行う本実施形態の温室用フィルム巻き取り装置１０は、上記したように、可動巻き取り軸２０と固定巻き取り軸３０とを備えて構成される。可動巻き取り軸２０は、第１のフィルム２２０と第２のフィルム２２０の隣接方向に略直交する方向、すなわち、温室１００の長手方向に沿わせて配置され、上記したように、第１のフィルム２１０と第２のフィルム２２０の隣接部付近が一緒に巻き付けられて設けられる。従って、一方向に回転することにより、第１のフィルム２１０を巻き取りながら温室１００の頂部方向に向かって移動し、他方向に回転することにより、第１のフィルム２１０を巻き戻しながら温室１００の側面下部方向に向かって移動する。なお、可動巻き取り軸２０が一方向に回転して第１のフィルム２１０を巻き取る際には、第２のフィルム２２０も一緒に巻き取られる。従って、第２のフィルム２２０としては、可動巻き取り軸２０の可動範囲の約２倍の長さを備えたものが用いられる。
【００１４】
固定巻き取り軸３０は、温室１００の側面下部付近に、長手方向に所定間隔をおいて固定配設される軸受け部材３０ａに軸支され、第２のフィルム２２０の基端部が巻き付けられて配設される。固定巻き取り軸３０は、軸受け部材３０ａに軸支されているため、第２のフィルム２２０の巻き取りに伴って追随移動することなく、その場で回転する。
【００１５】
可動巻き取り軸２０及び固定巻き取り軸３０は、いずれも制動機構２１，３１に長手方向端部が連結されて支持されていることが好ましい。制動機構２１，３１は、第１のフィルム２１０及び第２のフィルム２２０に所定の張力を付与し、ばたつきを防止するために設けられ、かかる機能を果たすものであればどのような構造のものであってもよい。例えば、各巻き取り軸２０，３０の軸受け部回りに粘性液体が充填された回転ダンパや、バネやゴムの弾性力を利用した緩衝器などを用いることができる。なお、本実施形態のように、固定巻き取り軸３０が可動巻き取り軸２０よりも相対的に下方に位置する配置関係の場合には、可動巻き取り軸２０のみに制動機構２１を連結し、固定巻き取り軸３０には制動機構を連結しない構成としてもよい。
【００１６】
また、本実施形態では、可動巻き取り軸２０をＸ方向に回転させることによって、第１のフィルム２１０を第２のフィルム２２０と共に巻き取り、固定巻き取り軸３０から第２のフィルム２２０を巻き戻して展開する構成である。従って、可動巻き取り軸２０に設ける制動機構２１には、Ｘ方向に回転する際には、制動力が機能せず、固定巻き取り軸３０の回転動作によってＹ方向に回転させられる場合に制動力が機能するワンウエイクラッチを介在させることが好ましい。また、固定巻き取り軸３０をＹ方向に回転させた場合には、第２のフィルム２２０を巻き取り、可動巻き取り軸２０から第１のフィルム２１０を巻き戻して展開する。このため、固定巻き取り軸３０に設ける制動機構３１には、Ｙ方向に回転する際に制動力が機能せず、可動巻き取り軸２０の回転動作によってＸ方向に回転させられる場合に制動力が機能するワンウエイクラッチを介在させることが好ましい。このような構成とすることにより、可動巻き取り軸２０をＸ方向に回転させた際には、固定巻き取り軸３０がＸ方向に回転するため、該固定巻き取り軸３０に連結された制動機構３１の制動力が機能して、第２のフィルム２２０が展開する際のばたつきを抑制し、固定巻き取り軸３０をＹ方向に回転させた際には、可動巻き取り軸２０がＹ方向に回転するため、可動巻き取り軸２０に連結された制動機構２１の制動力が機能して、第１のフィルム２１０が展開する際のばたつきが抑制される。なお、本実施形態では、可動巻き取り軸２０をＸ方向に回転させて第１のフィルム２１０を巻き取り、固定巻き取り軸３０をＹ方向に回転させて第２のフィルム２２０を巻き取る構成としているが、各巻き取り軸２０，３０への各フィルム２１０，２２０の巻き付け方向により、上記と逆に、可動巻き取り軸をＹ方向に回転させた際に第１のフィルム２１０が巻き取られ、固定巻き取り軸３０をＸ方向に回転させた際に第２のフィルム２２０が巻き取られる構成とすることも可能である。
【００１７】
可動巻き取り軸２０を回転動作させる駆動機構としては、本実施形態では、該可動巻き取り軸２０の端部に連結された滑車部材２２と、該滑車部材２２に無端状に掛け回されたチェーン２３とにより構成している。チェーン２３を任意の方向に引き下ろすことにより、滑車部材２２をＸ方向又はＹ方向に回転させて、可動巻き取り軸２０を回転駆動させる。固定巻き取り軸３０を回転動作させる駆動機構としては、本実施形態では、固定巻き取り軸３０の端部に連結したハンドル部材３２により構成している。もちろん、これらはあくまで一例であり、チェーンに代えてベルト部材等を用いることもできる。また、いずれも手動ではなくモータを用いた電動式とすることもできる。但し、可動巻き取り軸２０は、第１のフィルム２１０及び第２のフィルム２２０の巻き取り又は巻き戻しに伴ってその位置が変化するため、本実施形態のように滑車部材２２が可動巻き取り軸２０と共に移動する構成とするなど、可動巻き取り軸２０の位置変化に追随して駆動力を伝達できる機構とする必要がある。
【００１８】
また、可動巻き取り軸２０には、任意の回転停止手段を設けることが好ましい。例えば、可動巻き取り軸２０の端部に、棒状部材を付設し、この棒状部材を温室１００の骨組み材（アーチパイプ等）に設けた係合部に係合させることによって、任意位置で回転不能としたり、上記したチェーン２３を引っ掛ける引っ掛け部を骨組み材等に設けて可動巻き取り軸２０の回転を阻止する構成とすることもできる。また、滑車部材２２と可動巻き取り軸２０との間にブレーキ機構を配設し、該ブレーキ機構を動作させることで回転を停止させる構成とすることもできる。回転停止手段により、可動巻き取り軸２０の回転を停止させた状態で、固定巻き取り軸３０によって第２のフィルム２２０を巻き込むと、第１のフィルム２１０及び第２のフィルム２２０の展開時の張力を高めることができる。なお、ハンドル部材３２の操作によって固定巻き取り軸３０を回転させた際に、所望の回転位置で該ハンドル部材３２又は固定巻き取り軸３０を係止させる手段などを設け、固定巻き取り軸３０の逆回転によって、各フィルム２１０，２２０に緩みが生じないようにすることが好ましいことはもちろんである。
【００１９】
次に、本実施形態の作用を説明する。例えば、図２（ａ）に示したように、温室１００の片側（図の右側）に配設された温室用フィルム巻き取り装置１０において、可動巻き取り軸２０が下降して固定巻き取り軸３０に近接した状態では、第１のフィルム２１０が温室１００の開口部１１０を覆っており、第２のフィルム２２０が固定巻き取り軸３０に巻き取られた非換気状態となっている。この状態から、チェーン２３により、可動巻き取り軸２０を第１のフィルム２１０の巻き取り方向に回転させると、可動巻き取り軸２０は第１のフィルム２１０を第２のフィルム２２０と共に巻き取りながら温室１００の側面に沿って上昇していく。これにより、固定巻き取り軸３０に巻き取られていた第２のフィルム２２０が固定巻き取り軸３０から巻き戻されて展開していく。
【００２０】
第２のフィルム２２０が展開されていくと、開口部１１０は、第２のフィルム２２０を構成する帯状フィルム２２１で部分的に覆われ、各帯状フィルム２２１間の換気部２２２により、換気がなされる。第２のフィルム２２０が展開されていく際には、固定巻き取り軸３０に連結された制動機構３１の制動力が機能する。従って、第２のフィルム２２０は、ある程度の張力が付与されながら展開していき、展開時におけるばたつきが抑制される。可動巻き取り軸２０が温室１００の側面の略中間位置に至った際には、図２（ｂ）に示したように、該可動巻き取り軸２０より上部が第１のフィルム２１０により被覆され、該可動巻き取り軸２０より下部において第２のフィルム２２０が展開した状態となり、開口部１１０の全開口範囲の略半分が換気用の開口範囲となる。
【００２１】
かかる状態で、可動巻き取り軸２０に付設した回転停止手段により、例えば、チェーン２３を温室１００の骨組み材に設けた引っ掛け部に引っ掛け、回転不能な状態とし、固定巻き取り軸３０を第２のフィルム２２０の巻き取り方向に所定量回転させる。これにより、第２のフィルム２２０及び第１のフィルム２１０の展開時張力がさらに増す。
【００２２】
本実施形態によれば、第１のフィルム２１０及び第２のフィルム２２０を巻き取り又は巻き戻すに当たって、可動巻き取り軸２０のみを各フィルム２１０，２２０の巻き取り量に追随させて移動可能とし、固定巻き取り軸３０は、各フィルム２１０，２２０の巻き取り量に拘わらず、回転中心が変化しない構成である。このため、固定巻き取り軸３０に連結された第２のフィルム２２０を巻き込むことにより、該第２のフィルム２２０及び固定巻き取り軸３０は、可動巻き取り軸２０と共に第１のフィルム２１０を引っ張り張力を増す張力付与部材としても機能し、マイカー線を用いない場合でも、第１のフィルム２１０及び第２のフィルム２２０を所定の張力で張ることができる。
【００２３】
従って、本実施形態によれば、各フィルム２１０，２２０を押さえ付けるマイカー線自体を不要とすることも可能である。但し、マイカー線も併せて配設しておくことにより、各フィルム２１０，２２０のばたつきをより効果的に抑制できることはもちろんである。しかしながら、この場合、ばたつきを抑制するのに必要なマイカー線の締め付け力は、上記した張力付与機能を有する第２のフィルム２２０及び固定巻き取り軸３０によって、ある程度の張力が既に付与されているため、マイカー線自体の締め付け力は従来よりも小さくて十分である。このため、マイカー線をある程度の締め付け力で張った状態であっても、当該締め付け力が従来よりも小さいため、マイカー線を緩めることなく、可動巻き取り軸２０又は固定巻き取り軸３０を回転させ、各フィルム２１０，２２０の巻き取り又は巻き戻し動作を必要に応じて再開あるいは継続することができる。
【００２４】
可動巻き取り軸２０は、図２（ｃ）に示したように、第１のフィルム２１０の巻き取り方向に最大で、該第１のフィルム２１０の基端部が固定されているフィルム固定部材１２０に近接する位置まで移動する。可動巻き取り軸２０によって第１のフィルム２１０が最大限巻き取られた場合には、温室１００の開口部１１０は、その全面に、第２のフィルム２２０を構成する帯状フィルム２２１と、該帯状フィルム２２１，２２１間の換気部２２２が位置することになり、温室１００の頂部を中心とした片側の換気面積が最大となる。
【００２５】
換気面積が最大となった状態から、固定巻き取り軸３０を第２のフィルム２２０の巻き取り方向に回転させると、第２のフィルム２２０が巻き取られ、可動巻き取り軸２０が下降しつつ、可動巻き取り軸２０から第１のフィルム２１０が巻き戻されていく。この際、可動巻き取り軸２０には、制動機構２１が付設されており、制動機構２１によりその回転力に負荷が加わるため、第１のフィルム２１０は大きな緩みが生じることなく展開し、同様に、第２のフィルム２２０は大きな弛みを生じることなく固定巻き取り軸３０に巻き取られていく。そして、可動巻き取り軸２０が固定巻き取り軸３０に近接すると、開口部１１０の全面が閉塞される。なお、開口部１１０を閉じる際も、可動巻き取り軸２０を、中間位置で停止させることが可能なことは上記と同様である。また、マイカー線をある程度締め付けた状態で、固定巻き取り軸３０による第２のフィルム２２０の巻き取り動作を再開させることができることも同様である。
【００２６】
なお、本発明は上記した実施形態に限定されるものではない。上記した実施形態では、軸受け部材３０ａを、地面から所定高さの位置に設けられ、密閉用の固定張り１４０が支持されるフィルム固定部材１３０のやや下方に配設している。しかしながら、軸受け部材３０ａは、温室１００の骨組み材（アーチパイプやフィルム固定部材等）に、連結用ボルトなどを用いて直接固定するため、該軸受け部材３０ａに固定巻き取り軸３０を回転可能に支持させるに当たり、各軸受け部材３０ａ同士を互いに水平に（妻面から見て一直線上に）、正確に設ける必要がある。しかしながら、各軸受け部材３０ａを水平に取り付けには、正確にレベル出し作業を行う必要がある。
【００２７】
また、軸受け部材３０ａは、フィルム固定部材１３０の下方に設けることにより、降雪時や降雨時の汚れを抑制でき、また、可動巻き取り軸２０が下降して第１のフィルム２１０により開口部１１０が閉鎖される際、該第１のフィルム２１０の下部付近と固定張り１４０と重なり合い、隙間をなくすことができる。従って、軸受け部材３０ａは、固定張り１４０を支持するフィルム固定部材１３０の下方に設けることが好ましいが、この場合、骨組み材に連結用ボルトなどを介して軸受け部材３０ａを固定すると、固定張り１４０に穴を開ける必要がある。また、上記した第１のフィルム２１０及び第２のフィルム２２０とは別途に、例えば温室１００の側面を開閉する側面換気用のフィルムを設けた場合には、該側面換気用のフィルムに穴を開ける必要がある。従って、固定張り１４０や側面換気用のフィルムの張り替え作業を行う場合、その度に、連結用ボルト及び軸受け部材３０ａを取り外す必要があり、不便である。
【００２８】
そこで、固定巻き取り軸３０を支持する他方の取り付け部としては、図３及び図４に示した軸受け部材３００を用いることが好ましい。この軸受け部材３００は、温室１００を構成する骨組み材、例えばアーチパイプ１５０に一端が連結された吊り部材３１０の他端に支持されて設けられる。吊り部材３１０は、温室１００の長手方向に沿って所定間隔ごとに設け、各吊り部材３１０に軸受け部材３００を設ける。従って、吊り部材３１０の長さをそれぞれ同じ長さにすれば、固定巻き取り軸３０を略水平に容易に支持することができる。また、吊り部材３１０としては、アーチパイプ１５０において、固定張り１４０あるいは側面換気用のフィルムを支持するフィルム固定部材１３０の上部に固定した際に、軸受け部材３００がフィルム固定部材１３０の下方に位置する長さを有するものを用いる。これにより、固定張り１４０や側面換気用のフィルムに穴を開けることなく、軸受け部材３００をフィルム固定部材１３０の下方に位置させることができる。従って、固定張り１４０や側面換気用のフィルムを張り替える際の作業が容易となる。
【００２９】
また、各軸受け部材３００には、該軸受け部材３００に一端が連結され、他端が任意の不動部、例えば、アーチパイプ１５０の下端あるいは地面に固定された回転位置規制部材３２０を設けることが好ましい。これにより、固定巻き取り軸３０の回転位置が、例えば、可動巻き取り軸２０の第１のフィルム２１０の巻き取り方向への移動に伴って変動することを抑制でき、また、風等であおられた際のばたつきを抑制でき、固定巻き取り軸３０の回転位置を安定させることができる。
【００３０】
なお、上記した各吊り部材３１０に支持される軸受け部材３００は、上記実施形態のように、第２のフィルム２２０を複数の帯状フィルム２２１から構成した場合、図４に示したように、帯状フィルム２２１の左右近辺に位置するように設けることが好ましい。これにより、軸受け部材３００内で、該帯状フィルム２２１が固定巻き取り軸３０に巻き取られることがないため、軸受け部材３００としては単なる筒状部材等の簡易な構造のものを用いることができる。また、吊り部材３１０は、軸受け部材３００に支持される固定巻き取り軸３０の重さを支持できればよく、その配設位置や配設数等はこれに限定されるものではない。
【００３１】
また、吊り部材３１０としては、所定の長さを有するものであればよく、ベルト部材、チェーン、紐材等、種々のものを用いることができる。また、回転位置規制部材３２０も、任意の不動部と軸受け部材３２０との間に架け渡される長さを備えていればよく、ベルト部材、チェーン、紐材等、種々のものを用いることができる。
【００３２】
また、図１及び図２に示した実施形態では、温室１００の頂部を中心として区画される左右の側面の全領域を開口可能としているが、その一部のみ、例えば、地面から所定高さの領域のみ、あるいは頂部付近のみを開口させる構成としたり、地面から所定高さの領域と頂部付近の領域との双方を開口させる構成としたりすることももちろん可能である。
【００３３】
また、上記実施形態では、温室用フィルム２００を換気フィルムとして用い、温室の外被としての機能も果たすものであるが、本発明は、このような換気フィルムに限らず、例えば、温室１００内に、外被とは独立して設けられる遮光カーテン（フィルム）や保温カーテン（フィルム）などの開閉に用いることも可能である。遮光カーテンや保温カーテンは、両方配設する場合には、従来、２つのカーテンを上下に配置し、それぞれ、異なる巻き取り軸によって開閉する構造が一般的であるが、本発明の温室用フィルム巻き取り装置１を用いることにより、２つのカーテンの隣接部付近を可動巻き取り軸２０によって支持し、一方のカーテンの一端を固定巻き取り軸３０によって支持することにより、上記実施形態と同様に、任意のカーテンを適宜量ずつ展開することができ、遮光カーテンと保温カーテンとを切り換える作業を極めて容易に行うことができる。
【００３４】
【発明の効果】
本発明の温室用フィルム巻き取り装置及び温室は、第１のフィルムと第２のフィルムの隣接部付近が一緒に巻き付けられ、各フィルムの巻き取り又は巻き戻し動作に伴って移動可能に設けられる可動巻き取り軸を備える一方、第２のフィルムの基端部が、軸受け部材によって軸支され、各フィルムの巻き取り又は巻き戻し動作に伴って移動しない固定巻き取り軸により支持された構成である。従って、第１のフィルム及び第２のフィルムのそれぞれの巻き取り量に拘わらず、任意の状態で固定巻き取り軸により第２のフィルムを所定量巻き込むことにより、各フィルムの張力を増すことができる。このため、マイカー線により締め付けなくてもある程度のテンションでフィルムを張ることができ、マイカー線を用いた場合でも、フィルムのばたつき防止に必要なマイカー線の締め付け力を従来よりも小さくでき、マイカー線により締め付けた状態での巻き取り軸によるフィルムの巻き取り又は巻き戻し動作の再開や継続が可能である。
【００３５】
また、複数種類のフィルムを隣接させて配設し、一方を巻き取ることにより他方を展開する巻き取り装置としては、各フィルムのそれぞれに対応させて２本の可動巻き取り軸を設けることが考えられるが、この場合には、２本の可動巻き取り軸を各フィルムの巻き取り又は巻き戻し動作に追随させる構成とする必要があり、構造が複雑化する。しかしながら、本発明では、一方のフィルムを巻回する巻き取り軸を巻き取り動作に追随しない構成としたため、構造が簡易である。
【図面の簡単な説明】
【図１】図１は、本発明の一の実施形態にかかる温室用フィルム巻き取り装置及び温室を示す概略斜視図である。
【図２】図２は、上記実施形態にかかる温室用フィルム巻き取り装置の作用を説明するための図であり、（ａ）は第１のフィルムによって温室の片側に形成した開口部が閉じられた状態を、（ｂ）は可動巻き取り軸により第１のフィルムを中途まで巻き取った状態を、（ｃ）は可動巻き取り軸により第１のフィルムを基端部まで巻き取った状態を示す図である。
【図３】図３は、固定巻き取り軸を支持する軸受け部材の他の態様を示す図である。
【図４】図４は、固定巻き取り軸を支持する軸受け部材の他の態様を示す詳細図である。
【符号の説明】
１０  温室用フィルム巻き取り装置
２０  可動巻き取り軸
３０  固定巻き取り軸
３０ａ  軸受け部材
１００  温室
１１０  開口部
１２０，１３０  フィルム固定部材
１４０  固定張り
２００  温室用フィルム
２１０  第１のフィルム
２２０  第２のフィルム
３００  軸受け部材
３１０  吊り部材
３２０  回転位置規制部材
【図１】
2004161394.tif 000003
【図２】
2004161394.tif 000004
【図３】
2004161394.tif 000005
【図４】
2004161394.tif 000006